(57)【要約】【課題】ＴＤＤ（Ｔｉｍｅ  Ｄｉｖｉｓｉｏｎ  Ｄｕｐｌｅｘ）通信システムにおいて端末が基地局と所定の搬送波を介して信号を送受信する方法を提供する。【解決手段】ＴＤＤ（Ｔｉｍｅ  Ｄｉｖｉｓｉｏｎ  Ｄｕｐｌｅｘ）通信システムにおいて端末が基地局と所定の搬送波を介して信号を送受信する方法は、基地局から動的に変更可能な上りリンク／下りリンクサブフレーム設定に関する情報を受信するステップと、前記上りリンク／下りリンクサブフレーム設定から代表上りリンク／下りリンクサブフレーム設定を選定するステップと、前記代表上りリンク／下りリンクサブフレーム設定に従ってＨＡＲＱ（Ｈｙｂｒｉｄ  Ａｕｔｏｍａｔｉｃ  Ｒｅｐｅａｔ  ａｎｄ  ｒｅＱｕｅｓｔ）動作を行うステップと、を含むことを特徴とする。【選択図】図７
2015523758.tif 000002
【特許請求の範囲】
【請求項１】
ＴＤＤ（Ｔｉｍｅ  Ｄｉｖｉｓｉｏｎ  Ｄｕｐｌｅｘ）通信システムにおいて端末が基地局と所定の搬送波を介して信号を送受信する方法であって、
基地局から、動的に変更可能な上りリンク／下りリンクサブフレーム設定に関する情報を受信するステップと、
前記上りリンク／下りリンクサブフレーム設定から代表上りリンク／下りリンクサブフレーム設定を選定するステップと、
前記代表上りリンク／下りリンクサブフレーム設定に従ってＨＡＲＱ（Ｈｙｂｒｉｄ  Ａｕｔｏｍａｔｉｃ  Ｒｅｐｅａｔ  ａｎｄ  ｒｅＱｕｅｓｔ）動作を行うステップと、
を含むことを特徴とする信号送受信方法。
【請求項２】
前記動的に変更可能な上りリンク／下りリンクサブフレーム設定は、
前記上りリンク／下りリンクサブフレーム設定のそれぞれのスイッチング周期に基づいて決定される、請求項１に記載の信号送受信方法。
【請求項３】
前記動的に変更可能な上りリンク／下りリンクサブフレーム設定は、
システム情報を通じて指示されるデフォルト上りリンク／下りリンクサブフレーム設定に基づいて決定される、請求項２に記載の信号送受信方法。
【請求項４】
前記ＨＡＲＱ動作を行うステップは、
前記代表上りリンク／下りリンクサブフレーム設定に基づいて、下りリンクデータチャネルの受信、及び前記下りリンクデータチャネルに対する上りリンクＡＣＫ（ＡＣＫｎｏｗｌｅｄｇｅｍｅｎｔ）／ＮＡＣＫ（Ｎｅｇａｔｉｖｅ−ＡＣＫ）の送信を行うステップを含む、請求項１に記載の信号送受信方法。
【請求項５】
前記ＨＡＲＱ動作を行うステップは、
前記代表上りリンク／下りリンクサブフレーム設定に基づいて、上りリンクグラントの受信、及び前記上りリンクグラントに基づく上りリンクデータチャネルの送信を行い、前記上りリンクデータチャネルに対する応答信号の受信、及び前記応答信号の受信に基づく上りリンクデータチャネルの再伝送を行うステップを含む、請求項１に記載の信号送受信方法。
【請求項６】
前記代表上りリンク／下りリンクサブフレーム設定のＨＡＲＱタイミングは、
システム情報によって指示されたシステム情報を通じて指示されるデフォルト上りリンク／下りリンクサブフレーム設定のＨＡＲＱタイミングに基づいて決定される、請求項１に記載の信号送受信方法。
【請求項７】
前記所定の搬送波に対するスケジューリング情報が他の搬送波を介して受信される場合、前記所定の搬送波に対する前記代表上りリンク／下りリンクサブフレーム設定は、
前記他の搬送波の代表上りリンク／下りリンクサブフレーム設定と見なされる、請求項１に記載の信号送受信方法。
【請求項８】
ＴＤＤ（Ｔｉｍｅ  Ｄｉｖｉｓｉｏｎ  Ｄｕｐｌｅｘ）通信システムにおける端末装置であって、
基地局と信号を送受信するための無線通信モジュールと、
前記信号を処理するためのプロセッサと、を備え、
前記プロセッサは、
前記基地局から動的に変更可能な上りリンク／下りリンクサブフレーム設定に関する情報を受信し、前記上りリンク／下りリンクサブフレーム設定から代表上りリンク／下りリンクサブフレーム設定を選定し、前記代表上りリンク／下りリンクサブフレーム設定に従ってＨＡＲＱ（Ｈｙｂｒｉｄ  Ａｕｔｏｍａｔｉｃ  Ｒｅｐｅａｔ  ａｎｄ  ｒｅＱｕｅｓｔ）動作を行うことを特徴とする端末装置。
【請求項９】
前記動的に変更可能な上りリンク／下りリンクサブフレーム設定は、
前記上りリンク／下りリンクサブフレーム設定のそれぞれのスイッチング周期に基づいて決定される、請求項８に記載の端末装置。
【請求項１０】
前記動的に変更可能な上りリンク／下りリンクサブフレーム設定は、
システム情報を通じて指示されるデフォルト上りリンク／下りリンクサブフレーム設定に基づいて決定される、請求項９に記載の端末装置。
【請求項１１】
前記プロセッサは、
前記代表上りリンク／下りリンクサブフレーム設定に基づいて、下りリンクデータチャネルの受信、及び前記下りリンクデータチャネルに対する上りリンクＡＣＫ（ＡＣＫｎｏｗｌｅｄｇｅｍｅｎｔ）／ＮＡＣＫ（Ｎｅｇａｔｉｖｅ−ＡＣＫ）の送信を行う、請求項８に記載の端末装置。
【請求項１２】
前記プロセッサは、
前記代表上りリンク／下りリンクサブフレーム設定に基づいて、上りリンクグラントの受信、及び前記上りリンクグラントに基づく上りリンクデータチャネルの送信を行い、前記上りリンクデータチャネルに対する応答信号の受信、及び前記応答信号の受信に基づく上りリンクデータチャネルの再伝送を行う、請求項８に記載の端末装置。
【請求項１３】
前記プロセッサは、
前記代表上りリンク／下りリンクサブフレーム設定のＨＡＲＱタイミングを、システム情報によって指示されたシステム情報を通じて指示されるデフォルト上りリンク／下りリンクサブフレーム設定のＨＡＲＱタイミングに基づいて決定する、請求項８に記載の端末装置。
【請求項１４】
前記プロセッサは、
前記所定の搬送波に対するスケジューリング情報が他の搬送波を介して受信される場合、前記所定の搬送波に対する前記代表上りリンク／下りリンクサブフレーム設定を、前記他の搬送波の代表上りリンク／下りリンクサブフレーム設定と見なす、請求項８に記載の端末装置。
【発明の詳細な説明】
【技術分野】
【０００１】
本発明は、無線通信システムに関し、特に、無線通信システムにおいて無線リソース動的変更に基づくＨＡＲＱ（Ｈｙｂｒｉｄ  Ａｕｔｏｍａｔｉｃ  Ｒｅｐｅａｔ  ａｎｄ  ｒｅＱｕｅｓｔ）実行方法及びそのための装置に関する。
【背景技術】
【０００２】
本発明を適用し得る無線通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００３】
図１は、無線通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムであり、現在３ＧＰＰで基礎的な標準化作業が進行中である。一般に、Ｅ−ＵＭＴＳをＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容についてはそれぞれ、「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７及びＲｅｌｅａｓｅ ８を参照することができる。
【０００４】
図１を参照すると、Ｅ−ＵＭＴＳは、端末（Ｕｓｅｒ  Ｅｑｕｉｐｍｅｎｔ；ＵＥ）、基地局（ｅＮｏｄｅＢ；ｅＮＢ）、及びネットワーク（Ｅ−ＵＴＲＡＮ）の終端に位置して外部ネットワークに接続するアクセスゲートウェイ（Ａｃｃｅｓｓ  Ｇａｔｅｗａｙ；ＡＧ）を含んでいる。基地局は、ブロードキャストサービス、マルチキャストサービス及び／又はユニキャストサービスのために多重データストリームを同時に送信することができる。
【０００５】
一つの基地局には一つ以上のセルが存在する。セルは、１．２５、２．５、５、１０、１５、２０ＭＨｚなどの帯域幅のいずれか一つに設定され、複数の端末に対して下り又は上り送信サービスを提供する。異なったセルは互いに異なった帯域幅を提供するように設定することができる。基地局は、複数の端末に関するデータ送受信を制御する。下りリンク（Ｄｏｗｎｌｉｎｋ；ＤＬ）データについて、基地局は下りリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、上りリンク（Ｕｐｌｉｎｋ；ＵＬ）データについて、基地局は上りリンクスケジューリング情報を該当の端末に送信し、該当の端末が使用可能な時間／周波数領域、符号化、データサイズ、ＨＡＲＱ関連情報などを知らせる。基地局同士の間には、ユーザトラフィック又は制御トラフィックの送信のためのインターフェースを用いることができる。コアネットワーク（Ｃｏｒｅ  Ｎｅｔｗｏｒｋ；ＣＮ）は、ＡＧ、及び端末のユーザ登録などのためのネットワークノードなどで構成することができる。ＡＧは、複数のセルで構成されるＴＡ（Ｔｒａｃｋｉｎｇ  Ａｒｅａ）単位に端末の移動性を管理する。
【０００６】
無線通信技術は、ＷＣＤＭＡに基づいてＬＴＥにまで開発されてきたが、ユーザと事業者の要求と期待は増す一方である。その上、他の無線接続技術の開発が続いており、将来、競争力を持つためには新しい技術進化が要求される。ビット当たりのコストの削減、サービス利用可能性の増大、柔軟な周波数バンドの使用、単純構造と開放型インターフェース、端末の適度な電力消耗などが要求される。
【発明の概要】
【発明が解決しようとする課題】
【０００７】
上述したような議論に基づき、以下では無線通信システムにおいて無線リソースの動的変更に基づくＨＡＲＱ実行方法及びそのための装置を提案する。
【課題を解決するための手段】
【０００８】
本発明の一態様である、ＴＤＤ（Ｔｉｍｅ  Ｄｉｖｉｓｉｏｎ  Ｄｕｐｌｅｘ）通信システムにおいて端末が基地局と所定の搬送波を介して信号を送受信する方法は、基地局から動的に変更可能な上りリンク／下りリンクサブフレーム設定に関する情報を受信するステップと、前記上りリンク／下りリンクサブフレーム設定から代表上りリンク／下りリンクサブフレーム設定を選定するステップと、前記代表上りリンク／下りリンクサブフレーム設定に従ってＨＡＲＱ（Ｈｙｂｒｉｄ  Ａｕｔｏｍａｔｉｃ  Ｒｅｐｅａｔ  ａｎｄ  ｒｅＱｕｅｓｔ）動作を行うステップと、を含むことを特徴とする。
【０００９】
特に、前記動的に変更可能な上りリンク／下りリンクサブフレーム設定は、前記上りリンク／下りリンクサブフレーム設定のそれぞれのスイッチング周期及びシステム情報を通じて指示されるデフォルト上りリンク／下りリンクサブフレーム設定に基づいて決定されることを特徴とする。
【００１０】
好ましくは、前記ＨＡＲＱ動作を行うステップは、前記代表上りリンク／下りリンクサブフレーム設定に基づいて、下りリンクデータチャネルの受信及び前記下りリンクデータチャネルに対する上りリンクＡＣＫ（ＡＣＫｎｏｗｌｅｄｇｅｍｅｎｔ）／ＮＡＣＫ（Ｎｅｇａｔｉｖｅ−ＡＣＫ）の送信を行うステップを含むことができる。また、前記代表上りリンク／下りリンクサブフレーム設定に基づいて、上りリンクグラントの受信、及び前記上りリンクグラントに基づく上りリンクデータチャネルの送信を行い、前記上りリンクデータチャネルに対する応答信号の受信、及び前記応答信号の受信に基づく上りリンクデータチャネルの再伝送を行うステップを含むことができる。
【００１１】
より好ましくは、前記代表上りリンク／下りリンクサブフレーム設定のＨＡＲＱタイミングが、システム情報によって指示されたシステム情報を通じて指示されるデフォルト上りリンク／下りリンクサブフレーム設定のＨＡＲＱタイミングに基づいて決定されることを特徴とする。
【００１２】
さらに、前記所定の搬送波に対するスケジューリング情報が他の搬送波を介して受信される場合、前記所定の搬送波に対する前記代表上りリンク／下りリンクサブフレーム設定は、前記他の搬送波の代表上りリンク／下りリンクサブフレーム設定と見なされることを特徴とする。
【００１３】
一方、本発明の他の態様である、ＴＤＤ通信システムにおける端末装置は、基地局と信号を送受信するための無線通信モジュールと、前記信号を処理するためのプロセッサと、備え、前記プロセッサは、前記基地局から動的に変更可能な上りリンク／下りリンクサブフレーム設定に関する情報を受信し、前記上りリンク／下りリンクサブフレーム設定から代表上りリンク／下りリンクサブフレーム設定を選定し、前記代表上りリンク／下りリンクサブフレーム設定に従ってＨＡＲＱ（Ｈｙｂｒｉｄ  Ａｕｔｏｍａｔｉｃ  Ｒｅｐｅａｔ  ａｎｄ  ｒｅＱｕｅｓｔ）動作を行うことを特徴とする。
【発明の効果】
【００１４】
本発明の実施例によれば、無線通信システムにおいて端末と基地局が無線リソースを動的に変更しながら効率的にＨＡＲＱ技法を行うことができる。
【００１５】
本発明で得られる効果は、以上に言及した効果に制限されず、言及していない別の効果は、以下の記載から、本発明の属する技術の分野における通常の知識を有する者には明確に理解されるであろう。
【図面の簡単な説明】
【００１６】
【図１】無線通信システムの一例としてＥ−ＵＭＴＳネットワーク構造を概略的に示す図である。
【図２】３ＧＰＰ無線接続網規格に基づく端末とＥ−ＵＴＲＡＮ間の無線インターフェースプロトコル（Ｒａｄｉｏ  Ｉｎｔｅｒｆａｃｅ  Ｐｒｏｔｏｃｏｌ）のコントロールプレーン（Ｃｏｎｔｒｏｌ  Ｐｌａｎｅ）及びユーザプレーン（Ｕｓｅｒ  Ｐｌａｎｅ）構造を示す図である。
【図３】３ＧＰＰシステムに用いられる物理チャネル及びそれらを用いた一般の信号送信方法を説明するための図である。
【図４】ＬＴＥシステムにおいて用いられる下りリンク無線フレームの構造を例示する図である。
【図５】ＬＴＥシステムで用いられる上りリンクサブフレームの構造を示す図である。
【図６】ＬＴＥ ＴＤＤシステムにおいて無線フレームの構造を例示する図である。
【図７】本発明の実施例に係るＥ−ＴＤＤシステムにおける上りリンクＡＣＫ／ＮＡＣＫ送信動作を例示する図である。
【図８】本発明の実施例に係るＥ−ＴＤＤシステムにおけるＰＵＳＣＨスケジューリング動作を例示する図である。
【図９】本発明の実施例に係るＥ−ＴＤＤシステムにおけるＰＨＩＣＨや再伝送グラントが送信されるタイムラインを示す図である。
【図１０】本発明の一実施例に係る通信装置のブロック構成図である。
【発明を実施するための形態】
【００１７】
以下に添付の図面を参照して説明される本発明の実施例から、本発明の構成、作用及び他の特徴が容易に理解されるであろう。以下に説明する実施例は、本発明の技術的特徴が３ＧＰＰシステムに適用された例である。
【００１８】
本明細書ではＬＴＥシステム及びＬＴＥ−Ａシステムを用いて本発明の実施例を説明するが、これは例示に過ぎず、本発明の実施例は、上述した定義に該当するいかなる通信システムにも適用可能である。また、本明細書は、ＦＤＤ（Ｆｒｅｑｕｅｎｃｙ  Ｄｉｖｉｓｉｏｎ  Ｄｕｐｌｅｘ）方式を基準にして本発明の実施例について説明するが、これは例示に過ぎず、本発明の実施例は、Ｈ−ＦＤＤ（Ｈｙｂｒｉｄ−ＦＤＤ）方式又はＴＤＤ（Ｔｉｍｅ  Ｄｉｖｉｓｉｏｎ  Ｄｕｐｌｅｘ）方式にも容易に変形して適用してもよい。
【００１９】
図２は、３ＧＰＰ無線接続網規格に基づく端末とＥ−ＵＴＲＡＮとの間の無線インターフェースプロトコル（Ｒａｄｉｏ  Ｉｎｔｅｒｆａｃｅ  Ｐｒｏｔｏｃｏｌ）のコントロールプレーン及びユーザプレーンの構造を示す図である。コントロールプレーンとは、端末（ＵＥ）とネットワークとが呼を管理するために用いる制御メッセージが送信される通路のことを意味する。ユーザプレーンとは、アプリケーション層で生成されたデータ、例えば、音声データ又はインターネットパケットデータなどが送信される通路のことを意味する。
【００２０】
第１層である物理層は、物理チャネル（Ｐｈｙｓｉｃａｌ  Ｃｈａｎｎｅｌ）を用いて上位層に情報伝送サービス（Ｉｎｆｏｒｍａｔｉｏｎ  Ｔｒａｎｓｆｅｒ  Ｓｅｒｖｉｃｅ）を提供する。物理層は、上位の媒体接続制御（Ｍｅｄｉｕｍ  Ａｃｃｅｓｓ  Ｃｏｎｔｒｏｌ）層とは伝送チャネル（Ｔｒａｎｓｐｏｒｔ  Ｃｈａｎｎｅｌ）を介して接続されている。該伝送チャネルを介して媒体接続制御層と物理層との間にデータが移動する。送信側の物理層と受信側の物理層との間には物理チャネルを介してデータが移動する。該物理チャネルは、時間及び周波数を無線リソースとして活用する。具体的には、物理チャネルは、下りリンクにおいてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいてＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００２１】
第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して、上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼できるデータ送信を支援する。ＲＬＣ層の機能はＭＡＣ内部の機能ブロックとして具現されてもよい。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰｖ４やＩＰｖ６のようなＩＰパケットを効率的に送信するために、余分の制御情報を減らすヘッダー圧縮（Ｈｅａｄｅｒ  Ｃｏｍｐｒｅｓｓｉｏｎ）機能を果たす。
【００２２】
第３層の最下部に位置する無線リソース制御（Ｒａｄｉｏ  Ｒｅｓｏｕｒｃｅ  Ｃｏｎｔｒｏｌ；ＲＲＣ）層は、コントロールプレーンにのみ定義される。ＲＲＣ層は、無線ベアラー（Ｒａｄｉｏ  Ｂｅａｒｅｒ）の設定（Ｃｏｎｆｉｇｕｒａｔｉｏｎ）、再設定（Ｒｅ−ｃｏｎｆｉｇｕｒａｔｉｏｎ）及び解除（Ｒｅｌｅａｓｅ）に関連して、論理チャネル、伝送チャネル及び物理チャネルの制御を担当する。無線ベアラー（ＲＢ）とは、端末とネットワーク間のデータ伝達のために第２層によって提供されるサービスのことを意味する。そのために、端末のＲＲＣ層とネットワークのＲＲＣ層とはＲＲＣメッセージを互いに交換する。端末のＲＲＣ層とネットワークのＲＲＣ層間にＲＲＣ接続（ＲＲＣ  Ｃｏｎｎｅｃｔｅｄ）がある場合に、端末はＲＲＣ接続状態（Ｃｏｎｎｅｃｔｅｄ  Ｍｏｄｅ）にあり、そうでない場合は、ＲＲＣ休止状態（Ｉｄｌｅ  Ｍｏｄｅ）にあることとなる。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【００２３】
基地局（ｅＮＢ）を構成する一つのセルは、１．４、３、５、１０、１５、２０ＭＨｚなどの帯域幅のいずれか一つに設定され、複数の端末に対して下り又は上り送信サービスを提供する。異なったセルは互いに異なった帯域幅を提供するように設定することができる。
【００２４】
ネットワークから端末にデータを送信する下り伝送チャネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージは、下りＳＣＨを介して送信されてもよく、別の下りＭＣＨ（Ｍｕｌｔｉｃａｓｔ  Ｃｈａｎｎｅｌ）を介して送信されてもよい。一方、端末からネットワークにデータを送信する上り伝送チャネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。伝送チャネルの上位に存在し、伝送チャネルにマップされる論理チャネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００２５】
図３は、３ＧＰＰシステムに用いられる物理チャネル及びこれらのチャネルを用いた一般の信号送信方法を説明するための図である。
【００２６】
端末は、電源が入ったり、新しくセルに進入したりした場合に、基地局と同期を取る等の初期セル探索（Ｉｎｉｔｉａｌ  ｃｅｌｌ  ｓｅａｒｃｈ）作業を行う（Ｓ３０１）。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を取り、セルＩＤなどの情報を取得することができる。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を取得することができる。一方、端末は、初期セル探索段階で、下りリンク参照信号（Ｄｏｗｎｌｉｎｋ  Ｒｅｆｅｒｅｎｃｅ  Ｓｉｇｎａｌ；ＤＬ ＲＳ）を受信し、下りリンクチャネル状態を確認することができる。
【００２７】
初期セル探索を終えた端末は、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、及び該ＰＤＣＣＨに載せられた情報に基づいて物理下りリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を取得することができる（Ｓ３０２）。
【００２８】
一方、基地局に初めて接続したり信号送信のための無線リソースがない場合には、端末は、基地局にランダムアクセス手順（Ｒａｎｄｏｍ  Ａｃｃｅｓｓ  Ｐｒｏｃｅｄｕｒｅ；ＲＡＣＨ）を行うことができる（Ｓ３０３乃至Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を介して特定シーケンスをプリアンブルとして送信し（Ｓ３０３及びＳ３０５）、ＰＤＣＣＨ及び対応するＰＤＳＣＨを介して、プリアンブルに対する応答メッセージを受信することができる（Ｓ３０４及びＳ３０６）。競合ベースのＲＡＣＨについては、衝突解決手順（Ｃｏｎｔｅｎｔｉｏｎ  Ｒｅｓｏｌｕｔｉｏｎ  Ｐｒｏｃｅｄｕｒｅ）をさらに行ってもよい。
【００２９】
上述の手順を行った端末は、以降、一般的な上りリンク／下りリンク信号送信手順として、ＰＤＣＣＨ／ＰＤＳＣＨ受信（Ｓ３０７）、及び物理上りリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）送信（Ｓ３０８）を行うことができる。特に、端末はＰＤＣＣＨを介して下りリンク制御情報（Ｄｏｗｎｌｉｎｋ  Ｃｏｎｔｒｏｌ  Ｉｎｆｏｒｍａｔｉｏｎ；ＤＣＩ）を受信する。ここで、ＤＣＩは、端末に対するリソース割当情報のような制御情報を含み、その使用目的によってフォーマットが互いに異なる。
【００３０】
一方、端末が上りリンクを介して基地局に送信する又は端末が基地局から受信する制御情報は、下りリンク／上りリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ  ＬＴＥシステムでは、端末は、これらのＣＱＩ／ＰＭＩ／ＲＩなどの制御情報をＰＵＳＣＨ及び／又はＰＵＣＣＨを介して送信することができる。
【００３１】
図４は、下りリンク無線フレームにおいて一つのサブフレームの制御領域に含まれる制御チャネルを例示する図である。
【００３２】
図４を参照すると、サブフレームは１４個のＯＦＤＭシンボルで構成されている。サブフレーム設定によって先頭における１乃至３個のＯＦＤＭシンボルは制御領域として用いられ、残り１３〜１１個のＯＦＤＭシンボルはデータ領域として用いられる。同図で、Ｒ１乃至Ｒ４は、アンテナ０乃至３に対する参照信号（Ｒｅｆｅｒｅｎｃｅ  Ｓｉｇｎａｌ（ＲＳ）、又はＰｉｌｏｔ  Ｓｉｇｎａｌ）を表す。ＲＳは、制御領域及びデータ領域を問わず、サブフレーム内に一定のパターンで固定される。制御チャネルは、制御領域においてＲＳの割り当てられないリソースに割り当てられ、トラフィックチャネルも、データ領域においてＲＳの割り当てられないリソースに割り当てられる。制御領域に割り当てられる制御チャネルとしては、ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  ＣＨａｎｎｅｌ）、ＰＤＣＣＨ（Ｐｈｙｓｉｃａｌ  Ｄｏｗｎｌｉｎｋ  Ｃｏｎｔｒｏｌ  ＣＨａｎｎｅｌ）などがある。
【００３３】
ＰＣＦＩＣＨは、物理制御フォーマット指示子チャネルで、毎サブフレームごとにＰＤＣＣＨに用いられるＯＦＤＭシンボルの個数を端末に知らせる。ＰＣＦＩＣＨは、先頭のＯＦＤＭシンボルに位置し、ＰＨＩＣＨ及びＰＤＣＣＨに優先して設定される。ＰＣＦＩＣＨは、４個のＲＥＧ（Ｒｅｓｏｕｒｃｅ  Ｅｌｅｍｅｎｔ  Ｇｒｏｕｐ）で構成され、それぞれのＲＥＧは、セルＩＤ（Ｃｅｌｌ  ＩＤｅｎｔｉｔｙ）に基づいて制御領域内に分散される。１個のＲＥＧは４個のＲＥ（Ｒｅｓｏｕｒｃｅ  Ｅｌｅｍｅｎｔ）で構成される。ＲＥは、１個の副搬送波×１個のＯＦＤＭシンボルで定義される最小物理リソースのことを指す。ＰＣＦＩＣＨ値は帯域幅によって、１乃至３、又は２乃至４の値を示し、ＱＰＳＫ（Ｑｕａｄｒａｔｕｒｅ  Ｐｈａｓｅ  Ｓｈｉｆｔ  Ｋｅｙｉｎｇ）で変調される。
【００３４】
ＰＨＩＣＨは、物理ＨＡＲＱ（Ｈｙｂｒｉｄ−Ａｕｔｏｍａｔｉｃ  Ｒｅｐｅａｔ  ａｎｄ  ｒｅｑｕｅｓｔ）指示子チャネルで、上りリンク送信に対するＨＡＲＱ ＡＣＫ／ＮＡＣＫを運ぶのに用いられる。すなわち、ＰＨＩＣＨは、ＵＬ ＨＡＲＱのためのＤＬ ＡＣＫ／ＮＡＣＫ情報が送信されるチャネルのことを指す。ＰＨＩＣＨは、１個のＲＥＧで構成され、セル特定（ｃｅｌｌ−ｓｐｅｃｉｆｉｃ）にスクランブル（ｓｃｒａｍｂｌｉｎｇ）される。ＡＣＫ／ＮＡＣＫは１ビットで示され、ＢＰＳＫ（Ｂｉｎａｒｙ  ｐｈａｓｅ  ｓｈｉｆｔ  ｋｅｙｉｎｇ）で変調される。変調されたＡＣＫ／ＮＡＣＫは、拡散因子（Ｓｐｒｅａｄｉｎｇ  Ｆａｃｔｏｒ；ＳＦ）＝２又は４で拡散される。同一のリソースにマップされる複数のＰＨＩＣＨは、ＰＨＩＣＨグループを構成する。ＰＨＩＣＨグループに多重化されるＰＨＩＣＨの個数は、拡散コードの個数によって決定される。ＰＨＩＣＨ（グループ）は、周波数領域及び／又は時間領域においてダイバーシティ利得を得るために３回反復（ｒｅｐｅｔｉｔｉｏｎ）される。
【００３５】
ＰＤＣＣＨは、物理下りリンク制御チャネルで、サブフレームの先頭におけるｎ個のＯＦＤＭシンボルに割り当てられる。ここで、ｎは、１以上の整数であり、ＰＣＦＩＣＨによって指示される。ＰＤＣＣＨは、１個以上のＣＣＥ（Ｃｏｎｔｒｏｌ  Ｃｈａｎｎｅｌ  Ｅｌｅｍｅｎｔ）で構成される。ＰＤＣＣＨは、伝送チャネルであるＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）のリソース割当に関する情報、上りリンクスケジューリンググラント（Ｕｐｌｉｎｋ  Ｓｃｈｅｄｕｌｉｎｇ  Ｇｒａｎｔ）、ＨＡＲＱ情報などを、各端末又は端末グループに知らせる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。したがって、基地局と端末は一般に、特定の制御情報又は特定のサービスデータ以外はＰＤＳＣＨを介してそれぞれ送信及び受信する。
【００３６】
ＰＤＳＣＨのデータがいずれの端末（１つ又は複数の端末）に送信されるものであるか、それら端末がどのようにＰＤＳＣＨデータを受信してデコーディング（ｄｅｃｏｄｉｎｇ）をすべきかに関する情報などは、ＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスクされており、「Ｂ」という無線リソース（例、周波数位置）及び「Ｃ」という伝送形式情報（例、伝送ブロックサイズ、変調方式、コーディング情報など）を用いて送信されるデータに関する情報が特定サブフレームにおいて送信されるとしよう。この場合、セル内の端末は、自身が持っているＲＮＴＩ情報を用いてＰＤＣＣＨをモニタし、「Ａ」のＲＮＴＩを持つ一つ以上の端末があると、それらの端末は、ＰＤＣＣＨを受信し、受信したＰＤＣＣＨの情報に基づき、「Ｂ」と「Ｃ」によって指定されるＰＤＳＣＨを受信する。
【００３７】
図５は、ＬＴＥシステムにおいて用いられる上りリンクサブフレームの構造を示す図である。
【００３８】
図５を参照すると、上りリンクサブフレームは、制御情報を運ぶＰＵＣＣＨ（Ｐｈｙｓｉｃａｌ  Ｕｐｌｉｎｋ  Ｃｏｎｔｒｏｌ  ＣＨａｎｎｅｌ）が割り当てられる領域と、ユーザデータを運ぶＰＵＳＣＨ（Ｐｈｙｓｉｃａｌ  Ｕｐｌｉｎｋ  Ｓｈａｒｅｄ  ＣＨａｎｎｅｌ）が割り当てられる領域とに区別される。サブフレームの中間部分がＰＵＳＣＨに割り当てられ、周波数領域においてデータ領域の両側部がＰＵＣＣＨに割り当てられる。ＰＵＣＣＨ上で送信される制御情報は、ＨＡＲＱに用いられるＡＣＫ／ＮＡＣＫ、下りリンクチャネル状態を示すＣＱＩ（Ｃｈａｎｎｅｌ  Ｑｕａｌｉｔｙ  Ｉｎｄｉｃａｔｏｒ）、ＭＩＭＯのためのＲＩ（Ｒａｎｋ  Ｉｎｄｉｃａｔｏｒ）、上りリンクリソース割当要求であるＳＲ（Ｓｃｈｅｄｕｌｉｎｇ  Ｒｅｑｕｅｓｔ）などがある。ある端末のＰＵＣＣＨは、サブフレーム内の各スロットにおいて互いに異なった周波数を占める一つのリソースブロックを使用する。すなわち、ＰＵＣＣＨに割り当てられる２個のリソースブロックはスロットを境界に周波数ホッピング（ｆｒｅｑｕｅｎｃｙ  ｈｏｐｐｉｎｇ）する。特に、図５では、ｍ＝０のＰＵＣＣＨ、ｍ＝１のＰＵＣＣＨ、ｍ＝２のＰＵＣＣＨ、ｍ＝３のＰＵＣＣＨがサブフレームに割り当てられる例を示す。
【００３９】
図６には、ＬＴＥ ＴＤＤシステムにおける無線フレームの構造を例示する。ＬＴＥ ＴＤＤシステムにおいて、無線フレームは２個のハーフフレーム（ｈａｌｆ  ｆｒａｍｅ）で構成され、各ハーフフレームは、２個のスロットを含む４個の一般サブフレームと、ＤｗＰＴＳ（Ｄｏｗｎｌｉｎｋ  Ｐｉｌｏｔ  ＴｉｍｅＳｌｏｔ）、保護区間（Ｇｕａｒｄ  Ｐｅｒｉｏｄ、ＧＰ）及びＵｐＰＴＳ（Ｕｐｌｉｎｋ  Ｐｉｌｏｔ  ＴｉｍｅＳｌｏｔ）を含む特別サブフレーム（ｓｐｅｃｉａｌ  ｓｕｂｆｒａｍｅ）とで構成される。
【００４０】
特別サブフレームにおいて、ＤｗＰＴＳは、端末での初期セル探索、同期化又はチャネル推定に用いられ、ＵｐＰＴＳは、基地局でのチャネル推定及び端末の上りリンク送信同期獲得に用いられる。すなわち、ＤｗＰＴＳは下りリンク送信に、ＵｐＰＴＳは上りリンク送信に用いられ、特に、ＵｐＰＴＳはＰＲＡＣＨプリアンブルやＳＲＳの送信のために用いられる。また、保護区間は、上りリンクと下りリンクとの間に下りリンク信号の多重経路遅延によって上りリンクで生じる干渉を除去するための区間である。
【００４１】
特別サブフレームに関して現在３ＧＰＰ標準文書では下記の表１のように設定を定義している。表１で、Ｔｓ＝１／（１５０００×２０４８）の場合に、ＤｗＰＴＳとＵｐＰＴＳを示し、残りの領域が保護区間として設定される。
【００４２】
【表１】
2015523758.tif 000003
【００４３】
一方、ＬＴＥ ＴＤＤシステムにおいて上りリンク／下りリンクサブフレーム設定（ＵＬ／ＤＬ  ｃｏｎｆｉｇｕｒａｔｉｏｎ）は、下の表２の通りである。
【００４４】
【表２】
2015523758.tif 000004
【００４５】
上記の表２で、Ｄは下りリンクサブフレーム、Ｕは上りリンクサブフレームを表し、Ｓは特別サブフレームを表す。また、上記の表２は、それぞれの上りリンク／下りリンクサブフレーム設定において下りリンク−上りリンクスイッチング周期（Ｄｏｗｎｌｉｎｋ−ｔｏ−Ｕｐｌｉｎｋ  Ｓｗｉｔｃｈ−ｐｏｉｎｔ  ｐｅｒｉｏｄｉｃｉｔｙ）も示している。
【００４６】
一方、下記の表３は、３ＧＰＰ ＬＴＥシステムベースのＴＤＤシステムにおいてＵＥが該当の下りリンク信号に対する上りリンクＡＣＫ／ＮＡＣＫを送信するための上りリンクサブフレーム番号（インデックス）を示す。
【００４７】
【表３】
2015523758.tif 000005
【００４８】
特に、表３で、「−」は、上りリンクサブフレームに設定されたことを示し、サブフレーム番号（Ｓｕｂｆｒａｍｅ  ｎｕｍｂｅｒ）のそれぞれに割り当てられた数字は、上りリンクサブフレームインデックスを表す。すなわち、該当の下りリンクサブフレームに連動している上りリンクサブフレームインデックスを表す。
【００４９】
以下では、搬送波集成（ｃａｒｒｉｅｒ  ａｇｇｒｅｇａｔｉｏｎ）技法について説明する。
【００５０】
搬送波集成は、無線通信システムがより広い周波数帯域を用いるように、端末が上りリンクリソース（又は、コンポーネント搬送波）及び／又は下りリンクリソース（又は、コンポーネント搬送波）で構成された周波数ブロック又は（論理的意味の）セルを複数個用いて一つの大きい論理周波数帯域として用いる方法を意味する。以下では、説明の便宜のためにコンポーネント搬送波という用語に統一するものとする。
【００５１】
全体システム帯域（Ｓｙｓｔｅｍ  Ｂａｎｄｗｉｄｔｈ；Ｓｙｓｔｅｍ  ＢＷ）は論理帯域であって、最大１００ＭＨｚの帯域幅を有する。全体システム帯域は５個のコンポーネント搬送波を含み、それぞれのコンポーネント搬送波は最大２０ＭＨｚの帯域幅を有する。コンポーネント搬送波は、物理的に連続した一つ以上の連続した副搬送波を含む。それぞれのコンポーネント搬送波がいずれも同一の帯域幅を有してもよく、それぞれのコンポーネント搬送波は互いに異なる帯域幅を有してもよい。また、それぞれのコンポーネント搬送波は、周波数領域において互いに隣接しているとしたが、同図は論理的な概念で示したもので、それぞれのコンポーネント搬送波は物理的に互いに隣接していても、離れていてもよい。
【００５２】
また、それぞれのコンポーネント搬送波に対して異なる中心搬送波（Ｃｅｎｔｅｒ  ｆｒｅｑｕｅｎｃｙ）を用いたり、物理的に隣接したコンポーネント搬送波に対して共通の一つの中心搬送波を用いることができる。例えば、全てのコンポーネント搬送波が物理的に隣接しているとすれば、中心搬送波Ａを用いることができる。また、それぞれのコンポーネント搬送波が物理的に隣接していない場合を仮定すれば、それぞれのコンポーネント搬送波に対して別々の中心搬送波Ａ、中心搬送波Ｂなどを用いることができる。
【００５３】
本明細書で、コンポーネント搬送波はレガシーシステムのシステム帯域に該当し得る。コンポーネント搬送波をレガシーシステムを基準に定義することによって、進化した端末及びレガシー端末が共存する無線通信環境において容易な逆互換性（ｂａｃｋｗａｒｄ  ｃｏｍｐａｔｉｂｉｌｉｔｙ）の提供及びシステムの設計を図ることができる。一例として、ＬＴＥ−Ａシステムが搬送波集成を支援する場合に、それぞれのコンポーネント搬送波はＬＴＥシステムのシステム帯域に該当できる。この場合、コンポーネント搬送波は、１．２５、２．５、５、１０又は２０ＭＨｚ帯域幅のいずれか一つを有することができる。
【００５４】
搬送波集成によって全体システム帯域を拡張した場合に、各端末との通信に用いられる周波数帯域はコンポーネント搬送波単位に定義される。端末Ａは、全体システム帯域である１００ＭＨｚを用いることができ、５個のコンポーネント搬送波を全て用いて通信を行う。端末Ｂ1〜Ｂ5は２０ＭＨｚ帯域幅のみを用いることができ、一つのコンポーネント搬送波を用いて通信を行う。端末Ｃ1及びＣ2は４０ＭＨｚ帯域幅を用いることができ、それぞれ２つのコンポーネント搬送波を用いて通信を行う。これら２つのコンポーネント搬送波は論理／物理的に隣接しても、隣接しなくてもよい。同図では、端末Ｃ1が、隣接していない２つのコンポーネント搬送波を用いる場合を示し、端末Ｃ2が、隣接した２つのコンポーネント搬送波を用いる場合を示す。
【００５５】
ＬＴＥシステムでは１個の下りリンクコンポーネント搬送波と１個の上りリンクコンポーネント搬送波を用いるのに対し、ＬＴＥ−Ａシステムでは、図８に示すように複数のコンポーネント搬送波を用いることができる。このとき、制御チャネルがデータチャネルをスケジューリングする方式は、既存のリンク搬送波スケジューリング（Ｌｉｎｋｅｄ  ｃａｒｒｉｅｒ  ｓｃｈｅｄｕｌｉｎｇ）方式とクロス搬送波スケジューリング（Ｃｒｏｓｓ  ｃａｒｒｉｅｒ  ｓｃｈｅｄｕｌｉｎｇ）方式とに区別できる。
【００５６】
具体的に、リンク搬送波スケジューリングでは、単一コンポーネント搬送波を用いる既存ＬＴＥシステムのように特定コンポーネント搬送波を介して送信される制御チャネルは、該特定コンポーネント搬送波を介して送信されるデータチャネルのみをスケジューリングする。
【００５７】
一方、クロス搬送波スケジューリングでは、搬送波指示子フィールド（Ｃａｒｒｉｅｒ  Ｉｎｄｉｃａｔｏｒ  Ｆｉｅｌｄ；ＣＩＦ）を用いてプライマリコンポーネント搬送波（Ｐｒｉｍａｒｙ  ＣＣ）を介して送信される制御チャネルが、該プライマリコンポーネント搬送波を介して送信される或いは他のコンポーネント搬送波を介して送信されるデータチャネルをスケジューリングする。
【００５８】
上述したように、ＴＤＤシステムは、全体サブフレームを上りリンクサブフレームと下りリンクサブフレームとに分割し、それぞれをＵＥの上りリンク送信とｅＮＢの下りリンク送信に用いる。このような上りリンク／下りリンクサブフレーム設定は一般にシステム情報の一部としてＵＥに知らされ、上述した表２に示した設定を提供することができる。もちろん、表２の上りリンク／下りリンクサブフレーム設定の他、新しい上りリンク／下りリンクサブフレーム設定がさらに提供されてもよい。
【００５９】
一方、特定上りリンク／下りリンクサブフレーム設定が適用されたＴＤＤセルであっても、時間によって下りリンクサブフレームの個数と上りリンクサブフレームの個数が可変であることが好ましい。これは、下りリンクトラフィックと上りリンクトラフィックが単位時間別に固定されていないためである。そのために、ｅＮＢは、毎時点でＴＤＤシステムのための上りリンク／下りリンクサブフレーム設定を動的に変化させることができる。すなわち、ｅＮＢは、各サブフレームが下りリンクのために用いられるか、或いは上りリンクのために用いられるかを動的に変化させることができる。以下では、このような動作が適用されたＴＤＤシステムをＥ−ＴＤＤ（Ｅｎｈａｎｃｅｄ−ＴＤＤ）と呼ぶ。
【００６０】
本発明ではｅＮＢがＥ−ＴＤＤ動作を行う場合に効果的に用い得るＨＡＲＱ動作を提案する。以下に説明する本発明の動作は、２つ以上のコンポーネント搬送波を集成して用いる搬送波集成技法が適用された場合、ｅＮＢがいずれか一方の搬送波（或いは、ＳＣｅｌｌ）でＥ−ＴＤＤ動作を行う場合にも適用可能であり、また、搬送波集成技法を適用しないで単一の搬送波でＥ−ＴＤＤを動作する場合にも適用可能である。
【００６１】
従来のＬＴＥシステムにおいてＨＡＲＱ動作は該当のセルの上りリンク／下りリンクサブフレーム設定によって決定された。すなわち、システム情報によって上りリンク／下りリンクサブフレーム設定が構成されると、当該上りリンク／下りリンクサブフレーム設定に対するＨＡＲＱ動作方式が自動で決定される。ここで、ＨＡＲＱ動作は、ｅＮＢが送信したＰＤＳＣＨに対する上りリンクＡＣＫ／ＮＡＣＫを送信する動作、ＵＥが送信したＰＵＳＣＨに対する再伝送命令を含むＰＨＩＣＨ或いは上りリンクグラントをモニタする動作、及びｅＮＢが指示したＰＵＳＣＨ送信を行う動作などを含む。
【００６２】
従来のＨＡＲＱ動作は、上りリンク／下りリンクサブフレーム設定が動的に変化するＥ−ＴＤＤ状況ではその適用が非常に難しい。特に、毎時点で上りリンク／下りリンクサブフレーム設定そのものを変化させ、それを明示的に示す方式ではなく、あらかじめ設定された上りリンク／下りリンクサブフレーム設定上でスケジューリングメッセージ送信の有無によって上りリンク／下りリンクサブフレーム設定を間接的に変化させる方式では、従来のＨＡＲＱ動作の適用はより一層難しい。
【００６３】
したがって、Ｅ−ＴＤＤシステムでＨＡＲＱ動作を行うために、本発明ではコンポーネント搬送波で変更可能な上りリンク／下りリンクサブフレーム設定の範囲をあらかじめ定め、特定ＨＡＲＱ動作を行う際に変更可能な上りリンク／下りリンクサブフレーム設定を含み得る代表上りリンク／下りリンクサブフレーム設定を選定することを提案する。
【００６４】
例えば、ＰＤＳＣＨに対する上りリンクＡＣＫ／ＮＡＣＫを送信する動作では、上りリンクサブフレームが相対的に下りリンクサブフレームよりも少ないことからＡＣＫ／ＮＡＣＫの送信機会が減る場合には問題が生じうる。換言すれば、特定サブフレームを上りリンクサブフレームと見なし、このサブフレームで上りリンクＡＣＫ／ＮＡＣＫを送信する予定だったが、当該サブフレームを動的に下りリンクサブフレームとして用いることになると、当該上りリンクＡＣＫ／ＮＡＣＫの送信機会を失うという問題が発生する。
【００６５】
このような状況で本発明の動作を適用すると、Ｅ−ＴＤＤ動作によって変更可能なあらゆる上りリンク／下りリンクサブフレーム設定において上りリンクサブフレームの積集合に該当するサブフレームのみが上りリンクサブフレームに設定された特定上りリンク／下りリンクサブフレーム設定を代表上りリンク／下りリンクサブフレーム設定として設定し、ここで上りリンクＡＣＫ／ＮＡＣＫを送信する。そのために、ｅＮＢはＥ−ＴＤＤ動作によって選択され得る上りリンク／下りリンクサブフレーム設定の候補をＵＥに知らせることができる。
【００６６】
他の観点では、Ｅ−ＴＤＤ動作によって変更可能なあらゆる上りリンク／下りリンクサブフレーム設定の下りリンクサブフレームの和集合に該当するサブフレームが下りリンクサブフレームとして設定される上りリンク／下りリンクサブフレーム設定を、代表上りリンク／下りリンクサブフレーム設定として設定し、それによって決定される上りリンクサブフレームで上りリンクＡＣＫ／ＮＡＣＫを送信する。
【００６７】
仮に、上りリンクサブフレームの積集合に正確に対応する上りリンクサブフレーム集合を有する上りリンク／下りリンクサブフレーム設定が存在しないと、当該積集合を部分集合とする上りリンクサブフレームを有する上りリンク／下りリンクサブフレーム設定のうち、一番多い上りリンクサブフレームを有する上りリンク／下りリンクサブフレーム設定を代表上りリンク／下りリンクサブフレーム設定として選定することができる。
【００６８】
同様に、下りリンクサブフレームの和集合に正確に対応する下りリンクサブフレーム集合を有する上りリンク／下りリンクサブフレーム設定が存在しないと、当該和集合を部分集合とする下りリンクサブフレームを有する上りリンク／下りリンクサブフレーム設定のうち、一番多い下りリンクサブフレームを有するものを、代表上りリンク／下りリンクサブフレーム設定として選定することができる。
【００６９】
Ｅ−ＴＤＤ動作によって変更可能な上りリンク／下りリンクサブフレーム設定から、任意の上りリンク／下りリンクサブフレーム設定が代表上りリンク／下りリンクサブフレーム設定として選ばれても、代表上りリンク／下りリンクサブフレーム設定上で上りリンクサブフレームとして設定されたサブフレームは、全ての上りリンク／下りリンクサブフレーム設定において上りリンクサブフレームであるため、上りリンクＡＣＫ／ＮＡＣＫ送信機会が保障される。したがって、代表上りリンク／下りリンクサブフレーム設定を選定し、これをＥ−ＴＤＤが動作するコンポーネント搬送波の上りリンク／下りリンクサブフレーム設定と見なしたうえでＨＡＲＱ動作を行うと、ＨＡＲＱ動作を円滑に行うことができる。
【００７０】
図７は、本発明の実施例に係るＥ−ＴＤＤシステムにおける上りリンクＡＣＫ／ＮＡＣＫ送信動作を例示する図である。特に、図７でｅＮＢは該当の搬送波において上りリンク／下りリンクサブフレーム設定＃１及び上りリンク／下りリンクサブフレーム設定＃２のいずれかを動的に選択して用いると仮定する。
【００７１】
図７を参照すると、変更可能な上りリンク／下りリンクサブフレーム設定である上りリンク／下りリンクサブフレーム設定＃１及び上りリンク／下りリンクサブフレーム設定＃２から、上りリンクサブフレームの積集合に該当する代表上りリンク／下りリンクサブフレーム設定として上りリンク／下りリンクサブフレーム設定＃２が選定されていることがわかる。したがって、ＵＥは、上りリンクＡＣＫ／ＮＡＣＫを、上りリンク／下りリンクサブフレーム設定＃２に従って送信する。すなわち、代表上りリンク／下りリンクサブフレーム設定上で上りリンクサブフレームであるサブフレーム＃２、サブフレーム＃７で上りリンクＡＣＫ／ＮＡＣＫ送信を送信する。
【００７２】
図７で、特定下りリンクサブフレーム或いは特別サブフレームで送信されたＰＤＳＣＨに対する上りリンクＡＣＫ／ＮＡＣＫは、矢印で連結された上りリンクサブフレームで送信され、ハッチングされたサブフレームは、実際ｅＮＢが運営する上りリンク／下りリンクサブフレーム設定と上りリンクＡＣＫ／ＮＡＣＫのための代表上りリンク／下りリンクサブフレーム設定との不一致を示している。
【００７３】
また、破線で表示された矢印は、実際上りリンク／下りリンクサブフレーム設定と代表上りリンク／下りリンクサブフレーム設定との不一致によって実際には上りリンクＡＣＫ／ＮＡＣＫが送信される必要のないＨＡＲＱタイムラインを意味する。
【００７４】
上述した本発明の原理は、ＰＵＳＣＨのスケジューリングタイミングを決定する動作にも適用可能である。具体的に、ＵＥが特定下りリンクサブフレーム＃ｎで上りリンクグラントやＰＨＩＣＨ ＮＡＣＫを受信すると、上りリンクサブフレーム＃ｎ＋ｋでＰＵＳＣＨを送信するようになるが、サブフレーム＃ｎとサブフレーム＃ｎ＋ｋ間の関係が上りリンク／下りリンクサブフレーム設定によって決定される。このような場合、特定コンポーネント搬送波でＥ−ＴＤＤシステムを運営すると、サブフレーム＃ｎで上りリンクグラントを送信しても、ＵＥがシステム情報などから、サブフレーム＃ｎ＋ｋが下りリンクサブフレームであると認識しているならば、サブフレーム＃ｎ＋ｋをＰＵＳＣＨ送信のために用いることが不可能になる。
【００７５】
このような状況で本発明の原理を適用すると、Ｅ−ＴＤＤ動作によって変更可能なあらゆる上りリンク／下りリンクサブフレーム設定上で上りリンクサブフレームの和集合に該当するサブフレームが上りリンクサブフレームとして設定される上りリンク／下りリンクサブフレーム設定を代表上りリンク／下りリンクサブフレーム設定として設定し、これによってＰＵＳＣＨのスケジューリング情報（すなわち、上りリンクグラント）送信時点を決定する。
【００７６】
これによれば、Ｅ−ＴＤＤ動作によって変更可能な上りリンク／下りリンクサブフレーム設定のうち任意の上りリンク／下りリンクサブフレーム設定が代表上りリンク／下りリンクサブフレーム設定として設定されるとしても、代表上りリンク／下りリンクサブフレーム設定上では上りリンクグラントによるＰＵＳＣＨ送信時点が定義される。
【００７７】
仮に、上りリンクサブフレームの和集合に正確に対応する上りリンクサブフレーム集合を有する上りリンク／下りリンクサブフレーム設定が存在しないと、当該和集合を部分集合とする上りリンクサブフレームを有する上りリンク／下りリンクサブフレーム設定のうち一番少ない上りリンクサブフレームを有するものを代表上りリンク／下りリンクサブフレーム設定に選定することができる。
【００７８】
このような方式によって代表上りリンク／下りリンクサブフレーム設定を選定し、それをＥ−ＴＤＤシステムとして動作するコンポーネント搬送波の上りリンク／下りリンクサブフレーム設定と見なしたうえでＨＡＲＱ動作を行うと、ＨＡＲＱ動作を円滑に行うことができる。
【００７９】
図８は、本発明の実施例に係るＥ−ＴＤＤシステムにおけるＰＵＳＣＨスケジューリング動作を例示する図である。図８も同様、ｅＮＢは、該当の搬送波において上りリンク／下りリンクサブフレーム設定＃１及び上りリンク／下りリンクサブフレーム設定＃２のいずかれを動的に選択して用いると仮定する。
【００８０】
図８を参照すると、変更可能な上りリンク／下りリンクサブフレーム設定である上りリンク／下りリンクサブフレーム設定＃１及び上りリンク／下りリンクサブフレーム設定＃２の上りリンクサブフレームの和集合に該当する代表上りリンク／下りリンクサブフレーム設定は、上りリンク／下りリンクサブフレーム設定＃１になるため、これによって上りリンクグラント及びＰＵＳＣＨ送信時点が定義される。
【００８１】
図８で、特定下りリンクサブフレーム或いは特別サブフレームで送信された上りリンクグラントに対するＰＵＳＣＨは、矢印で連結されたサブフレームから送信され、ハッチングされたサブフレームは、実際ｅＮＢが運営する上りリンク／下りリンクサブフレーム設定とＰＵＳＣＨ送信時点を処理する代表上りリンク／下りリンクサブフレーム設定との不一致を示している。破線で表示された矢印は、実際上りリンク／下りリンクサブフレーム設定と代表上りリンク／下りリンクサブフレーム設定との不一致によって実際には上りリンクグラントが送信される必要のないＨＡＲＱタイムラインを意味する。
【００８２】
これに類似した原理を、ＰＵＳＣＨ送信後にＰＨＩＣＨや再伝送グラント（ｒｅｔｒａｎｓｍｉｓｓｉｏｎ  ｇｒａｎｔ）を受信する動作にも適用することができる。この場合、ＰＨＩＣＨや再伝送グラントが送信され得る機会をＥ−ＴＤＤ動作下でも常に保障することが重要なため、Ｅ−ＴＤＤ動作によって変更可能なあらゆる上りリンク／下りリンクサブフレーム設定上で下りリンクサブフレーム（或いは、特別サブフレーム）として設定されたサブフレームのみ（すなわち、全ての上りリンク／下りリンクサブフレーム設定の下りリンクサブフレームの積集合に該当するサブフレームのみ）が下りリンクサブフレーム（或いは、特別サブフレーム）として設定される上りリンク／下りリンクサブフレーム設定を代表上りリンク／下りリンクサブフレーム設定として設定し、ここで、ＰＨＩＣＨや再伝送グラントを送信する。
【００８３】
他の観点で説明すると、Ｅ−ＴＤＤ動作によって変更可能なあらゆる上りリンク／下りリンクサブフレーム設定のうちいずれかれ一つにおいてでも上りリンクサブフレームとして設定されたサブフレームが（すなわち、変更可能なあらゆる上りリンク／下りリンクサブフレーム設定の上りリンクサブフレームの和集合に該当するサブフレームが）上りリンクサブフレームとして設定される上りリンク／下りリンクサブフレーム設定を代表上りリンク／下りリンクサブフレーム設定として設定し、それによって決定される下りリンクサブフレームでＰＨＩＣＨや再伝送グラントを送信する。
【００８４】
図９には、本発明の実施例に係るＥ−ＴＤＤシステムにおけるＰＨＩＣＨや再伝送グラントが送信されるタイムラインを示す。特に、図９は、図８と同一の状況であると仮定する。
【００８５】
上述した動作を行うために、ｅＮＢはＵＥにＲＲＣのような上位層信号或いはＳＩＢのようなシステム情報信号を用いて、特定コンポーネント搬送波で変更可能な上りリンク／下りリンクサブフレーム設定の目録を送信することができる。
【００８６】
一方、ｅＮＢが上りリンク／下りリンクサブフレーム設定を動的に変化させる上で一定の制約が伴うことがある。既存のＵＥは、ＳＩＢで送信される上りリンク／下りリンクサブフレーム設定を有効なものと見なして動作するが、仮にｅＮＢがＳＩＢ上で下りリンクサブフレームとして設定されたサブフレームを動的に上りリンクサブフレームに変更すると、当該サブフレームでのセル特定参照信号（ＣＲＳ）の送信を期待する既存ＵＥのＣＲＳ測定が大きく歪むという問題が発生する。
【００８７】
したがって、ｅＮＢがたとえ動的シグナリングを通じて上りリンク／下りリンクサブフレーム設定を変更しても、ＳＩＢ上で上りリンクサブフレームとして設定されたサブフレームを下りリンクサブフレームに変換することは許容する反面、ＳＩＢ上で下りリンクサブフレーム（或いは、特別サブフレーム）として設定されたサブフレームを上りリンクサブフレームに変換することを禁止することができる。このような制約が適用されると、ＳＩＢ上で設定された上りリンク／下りリンクサブフレーム設定は、ｅＮＢが設定し得る上りリンク／下りリンクサブフレーム設定のうち最大の上りリンクサブフレームを有する上りリンク／下りリンクサブフレーム設定を意味することができ、他の意味として、ｅＮＢが設定し得る上りリンク／下りリンクサブフレーム設定上の上りリンクサブフレームの和集合に該当する上りリンク／下りリンクサブフレーム設定といえる。
【００８８】
したがって、上述した本発明の原理に従えば、ｅＮＢが上りリンク／下りリンクサブフレーム設定を動的に変化する状況でＵＥの上りリンク送信に対するＨＡＲＱタイムライン、すなわち、ＰＵＳＣＨのスケジューリングタイミングやＰＵＳＣＨ送信後にＰＨＩＣＨや再伝送グラントを受信する動作は、ＳＩＢ上で設定された上りリンク／下りリンクサブフレーム設定に従うことと同一であるといえる。
【００８９】
一方、ＵＥの下りリンク送信に対するＨＡＲＱタイムライン、すなわち、ＰＤＳＣＨに対する上りリンクＡＣＫ／ＮＡＣＫを送信するタイミングは、ＳＩＢ上で設定された上りリンク／下りリンクサブフレーム設定以外のものを使用することが好ましい。仮に、ｅＮＢがＲＲＣなどの上位層信号を介して特定の上りリンク／下りリンクサブフレーム設定を指定し、ＰＤＳＣＨに対する上りリンクＡＣＫ／ＮＡＣＫを送信するタイミングは、別に指示された上りリンク／下りリンクサブフレーム設定のものに従うことを命令すると（すなわち、上りリンクＡＣＫ／ＮＡＣＫのための代表上りリンク／下りリンクサブフレーム設定をｅＮＢが直接指定すると）、これは、別に指示された上りリンク／下りリンクサブフレーム設定が、ｅＮＢが選択可能な上りリンク／下りリンクサブフレーム設定の上りリンクサブフレームの積集合に該当する上りリンクサブフレームを有する上りリンク／下りリンクサブフレーム設定であることを意味する。
【００９０】
したがって、ｅＮＢは、上記別に指示された上りリンク／下りリンクサブフレーム設定上で上りリンクサブフレームとして設定されたサブフレームを下りリンクサブフレームになるように設定することが禁止され、ＵＥはこのような設定を誤り（ｅｒｒｏｒ）と見なして動作することができる。具体的に、ｅＮＢが設定可能な上りリンク／下りリンクサブフレーム設定は、下記の１）乃至３）の条件を満たすことを意味することができる。
【００９１】
１）ＳＩＢ上で下りリンクサブフレームとして設定されたサブフレームは、実際データチャネル送受信で使用する上りリンク／下りリンクサブフレーム設定上でも下りリンクサブフレームでなければならない。さらに、ＳＩＢ上で特別サブフレームとして設定されたサブフレームは、実際データチャネル送受信で使用する上りリンク／下りリンクサブフレーム設定上で特別サブフレームでなければならないように制限できる。これは、特別サブフレームもＣＲＳを送信する領域であり、よって、既存ＵＥが特別サブフレームの構成に合うＣＲＳ測定を試みるからである。
【００９２】
２）下りリンク送信に対するＨＡＲＱタイムラインのために指示された上りリンク／下りリンクサブフレーム設定上で、上りリンクサブフレームとして設定されたサブフレームは、実際データチャネル送受信で使用する上りリンク／下りリンクサブフレーム設定上でも上りリンクサブフレームでなければならない。
【００９３】
３）ＳＩＢ上では上りリンクサブフレームとして設定されたが、下りリンク送信に対するＨＡＲＱタイムラインのために別に指示された上りリンク／下りリンクサブフレーム設定上で下りリンクサブフレームとして設定されたサブフレームは、ｅＮＢの選択によって、実際データチャネル送受信で使用する上りリンク／下りリンクサブフレーム設定上で下りリンクサブフレームであるか、又は上りリンクサブフレームとして設定することができる。
【００９４】
このような１）乃至３）の条件を満たしながら、毎時点で使用する上りリンク／下りリンクサブフレーム設定をシグナリングする方法は、次のように例示することができる。特に、以下では、実際データチャネル送受信で使用する上りリンク／下りリンクサブフレーム設定とＳＩＢによって指示された上りリンク／下りリンクサブフレーム設定とが同一の特別サブフレームの位置を有するように制限されると仮定し、その結果、下りリンク−上りリンクスイッチング周期は、ＳＩＢ上での上りリンク／下りリンクサブフレーム設定によって決定することができる。
【００９５】
このとき、各スイッチング周期別に上りリンク／下りリンクサブフレーム設定を分類し、さらに下りリンクサブフレームの個数によって整列すると、下記の表４のようにグルーピングすることができる。
【００９６】
【表４】
2015523758.tif 000006
【００９７】
表４を参照すると、ｅＮＢは、ＲＲＣやＭＡＣのような上位層信号、或いは物理層信号を介して上記の表４のインデックスをＵＥに知らせることによって、実際データチャネル送受信で使用する上りリンク／下りリンクサブフレーム設定を指示することができる。
【００９８】
このとき、シグナリングされるインデックスの最小値はＳＩＢ上の上りリンク／下りリンクサブフレーム設定によって指定することができる。例えば、ＳＩＢ上で上りリンク／下りリンクサブフレーム設定＃６が指示されたなら、最小のインデックスは＃１になり、インデックス＃０は使用できない。
【００９９】
また、シグナリングされるインデックスの最大値は、下りリンク送信に対するＨＡＲＱタイムラインのために指示された上りリンク／下りリンクサブフレーム設定によって指定することができる。例えば、下りリンク送信に対するＨＡＲＱタイムラインのために指定された上りリンク／下りリンクサブフレーム設定が上りリンク／下りリンクサブフレーム設定＃１であれば、最大のインデックスは＃２になり、インデックス＃３は使用できない。
【０１００】
この動作の変形として、ｅＮＢは、ＳＩＢ上の上りリンク／下りリンクサブフレーム設定によって指定される最小のインデックスからのオフセット値をシグナリングし、実際データチャネル送受信で使用する上りリンク／下りリンクサブフレーム設定を指示することができる。例えば、ＳＩＢ上で上りリンク／下りリンクサブフレーム設定＃６が指示されたなら、最小のインデックスは＃１になり、ｅＮＢがインデックスオフセット値を１とシグナリングしたなら、インデックス＃２に該当する上りリンク／下りリンクサブフレーム設定＃１が該当の時点で実際使用する上りリンク／下りリンクサブフレーム設定になる。
【０１０１】
勿論、変更可能な上りリンク／下りリンクサブフレーム設定がその範囲として与えられてもよい。すなわち、ＳＩＢで指示された上りリンク／下りリンクサブフレーム設定を基準に、変更可能な上りリンク／下りリンクサブフレーム設定の範囲が与えられてもよい。
【０１０２】
一方、搬送波集成技法が適用された場合、集成された全てのコンポーネント搬送波に適用し得る代表上りリンク／下りリンクサブフレーム設定の定義が必要である。このような代表上りリンク／下りリンクサブフレーム設定は、各コンポーネント搬送波の代表上りリンク／下りリンクサブフレーム設定を用いて、上述した方法を適用して全体コンポーネント搬送波に適用される代表上りリンク／下りリンクサブフレーム設定を選定することができる。Ｅ−ＴＤＤが適用されないコンポーネント搬送波では、一つの上りリンク／下りリンクサブフレーム設定のみが存在できるため、それを当該コンポーネント搬送波の代表上りリンク／下りリンクサブフレーム設定と見なせばいいことは勿論である。ｅＮＢが代表上りリンク／下りリンクサブフレーム設定を直接指定する場合、特に、下りリンクＨＡＲＱのためにｅＮＢが各コンポーネント搬送波別に代表上りリンク／下りリンクサブフレーム設定を指定し、この代表上りリンク／下りリンクサブフレーム設定を有する搬送波が集成された場合に、代表上りリンク／下りリンクサブフレームを設定する方式によって代表上りリンク／下りリンクサブフレーム設定を選定するように動作することができる。
【０１０３】
或いは、各コンポーネント搬送波別に変更可能な上りリンク／下りリンクサブフレーム設定を全て列挙して全体コンポーネント搬送波上で変更可能な上りリンク／下りリンクサブフレーム設定を規定し、これに基づいて、上述した原理を適用してコンポーネント搬送波の全体を代表する上りリンク／下りリンクサブフレーム設定を選定することもできる。ｅＮＢが代表上りリンク／下りリンクサブフレーム設定を直接指定する場合には、特に、下りリンクＨＡＲＱのために全体コンポーネント搬送波が結合された状況で使用する代表上りリンク／下りリンクサブフレーム設定を指定することができる。
【０１０４】
ここで、全体コンポーネント搬送波上の代表上りリンク／下りリンクサブフレーム設定を選定するときには、全てのコンポーネント搬送波ではなくＨＡＲＱ動作に直接関与するコンポーネント搬送波のみを対象にすることもできる。例えば、上りリンクＡＣＫ／ＮＡＣＫに対する代表上りリンク／下りリンクサブフレーム設定を選定する場合、上りリンクＡＣＫ／ＮＡＣＫがＰＣｅｌｌのみで送信されるとすれば、上りリンクＡＣＫ／ＮＡＣＫを送信するＰＣｅｌｌ（すなわち、プライマリコンポーネント搬送波）とＰＤＳＣＨを受信するスケジューリングされたセル（すなわち、セカンダリコンポーネント搬送波）のみを考慮して、当該搬送波集成技法に対する代表上りリンク／下りリンクサブフレーム設定を選定することができる。
【０１０５】
これと同様に、ＰＵＳＣＨスケジューリングタイミングやＰＨＩＣＨタイミングのための代表上りリンク／下りリンクサブフレーム設定を選定する場合にも、当該ＰＵＳＣＨを送信するセルとこれに対する上りリンクグラントやＰＨＩＣＨを受信するセルのみを考慮して、当該搬送波集成技法に対する代表上りリンク／下りリンクサブフレーム設定を選定することができる。
【０１０６】
上りリンクＨＡＲＱがＳＩＢ上の上りリンク／下りリンクサブフレーム設定に従うとすれば、上りリンクＨＡＲＱのための代表上りリンク／下りリンクサブフレーム設定は、当該コンポーネント搬送波の上りリンクをスケジューリングするコンポーネント搬送波のシステム情報メッセージ上で設定された上りリンク／下りリンクサブフレーム設定に該当できる。
【０１０７】
以下では、代表上りリンク／下りリンクサブフレーム設定を設定する他の具体的な方法を提示する。以下では、説明の便宜のために、Ｅ−ＴＤＤ動作が行われるコンポーネント搬送波をＣＣ ＃Ｘと表示し、ＳＩＢを通じて設定される当該ＣＣ ＃Ｘに対する上りリンク／下りリンクサブフレーム設定を上りリンク／下りリンクサブフレーム設定＃Ｘと表示する。また、以下で説明する本発明の動作は、搬送波集成技法が適用された場合、ｅＮＢがいずれか一方のＣＣ（例えば、ＳＣｅｌｌ）でＥ−ＴＤＤ動作を行う場合にも適用可能であり、搬送波集成技法を適用しないで単一のコンポーネント搬送波でＥ−ＴＤＤを動作する場合にも適用可能である。
【０１０８】
（ａ）第一の方法として、Ｅ−ＴＤＤ動作が行われるＣＣ ＃Ｘに対して、変更可能な上りリンク／下りリンクサブフレーム設定の範囲が予め定義されている場合、ＣＣ ＃Ｘの上りリンクＡＣＫ／ＮＡＣＫ送信のための代表上りリンク／下りリンクサブフレーム設定を上りリンク／下りリンクサブフレーム設定＃Ｘと見なし、当該上りリンクＡＣＫ／ＮＡＣＫ送信は、上記の見なされた上りリンク／下りリンクサブフレーム設定＃Ｘの上りリンクＡＣＫ／ＮＡＣＫ送信タイムラインに従って行われる。
【０１０９】
（ｂ）第二の方法として、Ｅ−ＴＤＤ動作が行われるＣＣ ＃Ｘに対して変更可能な上りリンク／下りリンクサブフレーム設定の範囲が予め定義されている場合、ＣＣ ＃ＸのＰＵＳＣＨ送信（或いは、ＰＵＳＣＨ再伝送）タイムラインは、上りリンク／下りリンクサブフレーム設定＃Ｘを除く残りの上りリンク／下りリンクサブフレーム設定において上りリンクサブフレームの和集合に該当するサブフレームを含む特定上りリンク／下りリンクサブフレーム設定＃Ｙと、上りリンク／下りリンクサブフレーム設定＃Ｘとの関係によって定義されるようにすることができる。
【０１１０】
例えば、上りリンク／下りリンクサブフレーム設定＃Ｘの上りリンクサブフレーム集合が上りリンク／下りリンクサブフレーム設定＃Ｙの上りリンクサブフレーム集合を含む場合、ＣＣ ＃ＸでＰＵＳＣＨ送信（或いは、ＰＵＳＣＨ再伝送）のために設定される代表上りリンク／下りリンクサブフレーム設定を、上りリンク／下りリンクサブフレーム設定＃Ｘと見なし、当該ＰＵＳＣＨ送信（或いは、ＰＵＳＣＨ再伝送）は上りリンク／下りリンクサブフレーム設定＃Ｘのタイムラインに従うようにすることができる。
【０１１１】
一方、上記の上りリンク／下りリンクサブフレーム設定＃Ｘの上りリンクサブフレーム集合が上りリンク／下りリンクサブフレーム設定＃Ｙの上りリンクサブフレーム集合を含まない場合、ＣＣ ＃ＸでＰＵＳＣＨ送信（或いは、ＰＵＳＣＨ再伝送）のために設定される代表上りリンク／下りリンクサブフレーム設定を、上りリンク／下りリンクサブフレーム設定＃Ｙと見なし、当該ＰＵＳＣＨ送信（或いは、ＰＵＳＣＨ再伝送）は上りリンク／下りリンクサブフレーム設定＃Ｙのタイムラインに従うようにすることができる。
【０１１２】
（ｃ）第三の方法は、Ｅ−ＴＤＤ動作が行われるＣＣ ＃Ｘが予め定義された他のコンポーネント搬送波からクロス搬送波スケジューリング（Ｃｒｏｓｓ  Ｃａｒｒｉｅｒ  Ｓｃｈｅｄｕｌｉｎｇ；ＣＣＳ）を受けるように設定された場合を仮定する。このような状況で、ＣＣ ＃Ｘをスケジューリングする、スケジューリングコンポーネント搬送波の代表上りリンク／下りリンクサブフレーム設定とＣＣ ＃Ｘの代表上りリンク／下りリンクサブフレーム設定との関係によって、ＣＣ ＃Ｘの上りリンクＡＣＫ／ＮＡＣＫ送信或いはＰＵＳＣＨ送信（或いは、ＰＵＳＣＨ再伝送）のためのタイムライン（すなわち、最終代表上りリンク／下りリンクサブフレーム設定）を定義することができる。勿論、ＰＣｅｌｌのようなスケジューリングコンポーネント搬送波がＥ−ＴＤＤ動作が行われないと設定された場合には、ＳＩＢを通じて設定された上りリンク／下りリンクサブフレーム設定がスケジューリングコンポーネント搬送波の代表上りリンク／下りリンクサブフレーム設定として設定されてもよい。
【０１１３】
例えば、上りリンクＡＣＫ／ＮＡＣＫ送信のための代表上りリンク／下りリンクサブフレーム設定の観点からみると、ＣＣ ＃Ｘで上りリンクＡＣＫ／ＮＡＣＫ送信のために設定される最終代表上りリンク／下りリンクサブフレーム設定を、スケジューリングコンポーネント搬送波の代表上りリンク／下りリンクサブフレーム設定と見なすことができる。この場合、ＣＣ ＃Ｘで上りリンクＡＣＫ／ＮＡＣＫ送信は、上記の見なされた最終代表上りリンク／下りリンクサブフレーム設定の上りリンクＡＣＫ／ＮＡＣＫ送信タイムラインに従うことができる。
【０１１４】
同様に、ＰＵＳＣＨ送信（或いは、ＰＵＳＣＨ再伝送）のための代表上りリンク／下りリンクサブフレーム設定の観点からみると、スケジューリングコンポーネント搬送波の代表上りリンク／下りリンクサブフレーム設定の上りリンクサブフレーム集合がＣＣ ＃Ｘの代表上りリンク／下りリンクサブフレーム設定の上りリンクサブフレーム集合を含む場合、ＣＣ ＃Ｘ上のＰＵＳＣＨ送信（或いは、ＰＵＳＣＨ再伝送）のために設定される最終代表上りリンク／下りリンクサブフレーム設定を、スケジューリングコンポーネント搬送波の代表上りリンク／下りリンクサブフレーム設定と見なすことができ、この場合、当該ＰＵＳＣＨ送信（或いは、ＰＵＳＣＨ再伝送）は、上記の見なされた最終代表上りリンク／下りリンクサブフレーム設定のタイムラインに従って行われるようにすることができる。
【０１１５】
一方、スケジューリングコンポーネント搬送波の代表上りリンク／下りリンクサブフレーム設定の上りリンクサブフレーム集合がＣＣ ＃Ｘの代表上りリンク／下りリンクサブフレーム設定の上りリンクサブフレーム集合を含まない状況では、ＣＣ ＃Ｘ上のＰＵＳＣＨ送信（或いは、ＰＵＳＣＨ再伝送）のために設定される最終代表上りリンク／下りリンクサブフレーム設定をＣＣ ＃Ｘの代表上りリンク／下りリンクサブフレーム設定と見なすことができ、当該ＰＵＳＣＨ送信（或いは、ＰＵＳＣＨ再伝送）は、上記の見なされた最終代表上りリンク／下りリンクサブフレーム設定のタイムラインに従って行われるようにすることができる。
【０１１６】
（ｄ）第四の方法として、仮に、Ｅ−ＴＤＤ動作が行われるＣＣ ＃Ｘが自己スケジューリング技法（Ｓｅｌｆ  Ｓｃｈｅｄｕｌｉｎｇ）で動作する場合、上述した第一或いは第二の方法を用いてＣＣ ＃Ｘ上の上りリンクＡＣＫ／ＮＡＣＫ送信或いはＰＵＳＣＨ送信（或いは、ＰＵＳＣＨ再伝送）のためのタイムラインが定義されるように規則を定めることができる。
【０１１７】
（ｅ）第五の方法は、ＣＣ ＃ＸがＥ−ＴＤＤの用途に設定され、当該ＣＣ ＃Ｘが他のコンポーネント搬送波からクロス搬送波スケジューリングを受けるように設定された場合を仮定する。この場合、スケジューリングコンポーネント搬送波からＣＣ ＃Ｘ上にクロス搬送波スケジューリングベースのＰＤＳＣＨスケジューリングが可能な（下りリンク）サブフレームは、スケジューリングコンポーネント搬送波の代表上りリンク／下りリンクサブフレーム設定とＣＣ ＃Ｘの代表上りリンク／下りリンクサブフレーム設定においていずれも下りリンク用途に指定されたサブフレームに限定することができる。勿論、ＰＣｅｌｌのようなスケジューリングコンポーネント搬送波がＥ−ＴＤＤ動作が行われないと設定された場合には、ＳＩＢを通じて設定された上りリンク／下りリンクサブフレーム設定がスケジューリングコンポーネント搬送波の代表上りリンク／下りリンクサブフレーム設定として設定されてもよい。
【０１１８】
又は、スケジューリングコンポーネント搬送波からＣＣ ＃Ｘ上にクロス搬送波スケジューリングベースのＰＤＳＣＨスケジューリングが可能な（下りリンク）サブフレームは、スケジューリングコンポーネント搬送波の代表上りリンク／下りリンクサブフレーム設定とＣＣ ＃Ｘの代表上りリンク／下りリンクサブフレーム設定がいずれも下りリンク用途に指定されたサブフレーム時点であるとともに、上記の第三の方法で導出されたＣＣ ＃Ｘ上の上りリンクＡＣＫ／ＮＡＣＫ送信のための最終代表上りリンク／下りリンクサブフレーム設定ベースの上りリンクＡＣＫ／ＮＡＣＫ送信時点が定義された下りリンクサブフレームであるという条件を同時に満たすサブフレームに限定してもよい。
【０１１９】
図１０は、本発明の一実施例に係る通信装置のブロック構成図である。
【０１２０】
図１０を参照すると、通信装置１０００は、プロセッサ１０１０、メモリー１０２０、ＲＦモジュール１０３０、ディスプレイモジュール１０４０、及びユーザインターフェースモジュール１０５０を備えている。
【０１２１】
通信装置１０００は、説明の便宜のために例示されたもので、一部のモジュールは省略されてもよい。また、通信装置１０００は、必要なモジュールをさらに備えてもよい。また、通信装置１０００において、一部のモジュールはより細分化したモジュールにしてもよい。プロセッサ１０１０は、図面を参照して例示した本発明の実施例に係る動作を実行するように構成される。具体的に、プロセッサ１０１０の詳細な動作は、図１乃至図９に記載された内容を参照されたい。
【０１２２】
メモリー１０２０は、プロセッサ１０１０に接続し、オペレーティングシステム、アプリケーション、プログラムコード、データなどを格納する。ＲＦモジュール１０３０は、プロセッサ１０１０に接続し、基底帯域信号を無線信号に変換したり、無線信号を基底帯域信号に変換する機能を担う。そのために、ＲＦモジュール１０３０は、アナログ変換、増幅、フィルタリング及び周波数アップ変換、又はこれらの逆過程を行う。ディスプレイモジュール１０４０は、プロセッサ１０１０に接続し、様々な情報をディスプレイする。ディスプレイモジュール１０４０は、次に制限されるものではないが、ＬＣＤ（Ｌｉｑｕｉｄ  Ｃｒｙｓｔａｌ  Ｄｉｓｐｌａｙ）、ＬＥＤ（Ｌｉｇｈｔ  Ｅｍｉｔｔｉｎｇ  Ｄｉｏｄｅ）、ＯＬＥＤ（Ｏｒｇａｎｉｃ  Ｌｉｇｈｔ  Ｅｍｉｔｔｉｎｇ  Ｄｉｏｄｅ）のような周知の要素を用いることができる。ユーザインターフェースモジュール１０５０は、プロセッサ１０１０に接続し、キーパッド、タッチスクリーンなどのような周知のユーザインターフェースの組合せで構成することができる。
【０１２３】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部Ｋ構成や特徴は、他の実施例に含まれてもよく、他の実施例の対応する構成又は特徴に取り替わってもよい。特許請求の範囲において明示的な引用関係にない請求項を結合して実施例を構成したり、出願後の補正によって新しい請求項として含めたりしてもよいことは明らかである。
【０１２４】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ又はそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどによって具現することができる。
【０１２５】
ファームウェアやソフトウェアによる具現では、本発明の一実施例は、以上で説明された機能又は動作を実行するモジュール、手順、関数などの形態として具現されてもよい。ソフトウェアコードは、メモリーユニットに記憶され、プロセッサにより駆動可能である。メモリーユニットは、プロセッサの内部又は外部に設けられ、公知の様々な手段によってプロセッサとデータを交換することができる。
【０１２６】
本発明は、本発明の特徴から逸脱しない範囲で別の特定の形態に具体化されてもよいことが当業者にとっては自明である。したがって、上記の詳細な説明は、いずれの面においても制限的に解釈してはならず、例示的なものとして考慮しなければならない。本発明の範囲は、添付の請求項の合理的な解釈によって決定しなければならず、本発明の等価的範囲内における変更はいずれも本発明の範囲に含まれる。
【産業上の利用可能性】
【０１２７】
上述のような無線通信システムにおいて無線リソース動的変更に基づくＨＡＲＱ実行方法及びそのための装置は、３ＧＰＰ ＬＴＥシステムに適用される例を中心に説明したが、３ＧＰＰ ＬＴＥシステムの他、様々な無線通信システムにも適用することができる。
【図１】
2015523758.tif 000007
【図２】
2015523758.tif 000008
【図３】
2015523758.tif 000009
【図４】
2015523758.tif 000010
【図５】
2015523758.tif 000011
【図６】
2015523758.tif 000012
【図７】
2015523758.tif 000013
【図８】
2015523758.tif 000014
【図９】
2015523758.tif 000015
【図１０】
2015523758.tif 000016
【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
ＴＤＤ（Ｔｉｍｅ  Ｄｉｖｉｓｉｏｎ  Ｄｕｐｌｅｘ）通信システムにおいて端末で信号を送受信する方法において、
上位層により複数のアップリンク／ダウンリンク設定から第１のサービングセルのための参照アップリンク／ダウンリンク設定を構成するステップと、
前記複数のアップリンク／ダウンリンク設定の中で前記第１のサービングセルのための特定のアップリンク／ダウンリンク設定を含むダウンリンク制御情報を基地局から受信するステップと、
前記特定のアップリンク／ダウンリンク設定に基づく前記信号を送受信するステップとを含み、
少なくとも１つのサブフレームは前記参照アップリンク／ダウンリンク設定でのアップリンクサブフレームを示す場合、前記端末は少なくとも１つのサブフレームを示す前記特定のアップリンク／ダウンリンク設定を含む前記ダウンリンク制御情報を受信することを期待されない、方法。
【請求項２】
前記特定のアップリンク／ダウンリンク設定で示される１つ又はそれ以上のダウンリンクサブフレームは、前記参照アップリンク／ダウンリンク設定で示されるダウンリンクサブフレームのサブセットである、請求項１に記載の方法。
【請求項３】
前記参照アップリンク／ダウンリンク設定は、前記複数のアップリンク／ダウンリンク設定の中のダウンリンクサブフレームの最大数を有する、請求項１に記載の方法。
【請求項４】
前記信号を送受信するステップは、少なくとも１つのダウンリンクデータ信号に対する肯定確認応答（ＡＣＫ）／否定確認応答（ＮＡＣＫ）を前記特定のアップリンク／ダウンリンク設定により示される前記アップリンクで送信するステップを含み、
前記少なくとも１つのダウンリンクデータ信号を受信する前記ダウンリンクサブフレームは前記参照アップリンク／ダウンリンク設定により示される、請求項１に記載の方法。
【請求項５】
前記参照アップリンク／ダウンリンク設定は、前記特定のアップリンク／ダウンリンク設定で示される前記アップリンクサブフレームに送信される肯定確認応答（ＡＣＫ）／否定確認応答（ＮＡＣＫ）に対応する少なくとも１つのダウンリンクサブフレームを示す、請求項１に記載の方法。
【請求項６】
前記第１のサービングセルに対する前記参照アップリンク／ダウンリンク設定を構成するステップは、
前記上位層により、前記第２のサービングセルに対して前記参照アップリンク／ダウンリンク設定を構成ステップと、
前記第１のサービングセルと前記第２のサービングセルの両方に対する前記参照アップリンク／ダウンリンク設定として、前記第１のサービングセルに対する前記参照アップリンク／ダウンリンク設定及び前記第２のサービングセルに対する前記参照アップリンク／ダウンリンク設定の１つを決定するステップを含む、請求項１に記載の方法。
【請求項７】
前記第１のサービングセルに対する前記参照アップリンク／ダウンリンク設定は、前記第２のサービングセルに対する前記参照アップリンク／ダウンリンク設定とは異なる、請求項６に記載の方法。
【請求項８】
ＴＤＤ（Ｔｉｍｅ  Ｄｉｖｉｓｉｏｎ  Ｄｕｐｌｅｘ）通信システムにおける端末装置において、
基地局で信号を送受信するように構成された無線通信モジュールと、
前記信号を処理するように構成されたプロセッサと、を含み、
前記プロセッサは、上位層により複数のアップリンク／ダウンリンク設定から第１のサービングセルに対する参照アップリンク／ダウンリンク設定を構成し、
前記プロセッサは、前記複数のアップリンク／ダウンリンク設定の中の前記第１サービングセルに対する特定のアップリンク／ダウンリンク設定を含むダウンリンク制御情報を基地局から受信し、前記特定のアップリンク／ダウンリンク設定に基づく信号を送受信するために前記無線通信モジュールを制御し、
少なくとも１つのサブフレームが前記参照アップリンク／ダウンリンク設定のアップリンクサブフレームとして示された場合、前記端末装置は少なくとも１つのサブフレームをダウンリンクサブフレームとして表わす前記特定のアップリンク／ダウンリンク設定を含む前記ダウンリンク制御情報を受信しないと期待される、端末装置。
【請求項９】
前記特定のアップリンク／ダウンリンク設定により示される１つ又はそれ以上のダウンリンクサブフレームは参照アップリンク／ダウンリンク設定で示されるダウンリンクサブフレームのサブセットである、請求項８に記載の端末装置。
【請求項１０】
前記参照アップリンク／ダウンリンク設定は、前記複数のアップリンク／ダウンリンク設定の中のダウンリンクサブフレームの最大数を有する、請求項8に記載の端末装置。
【請求項１１】
前記プロセッサは、前記特定のアップリンク／ダウンリンク設定により示される前記アップリンクサブフレームにより少なくとも１つのダウンリンクデータ信号に対する肯定確認応答（ＡＣＫ）／否定確認応答（ＮＡＣＫ）を送信するための前記無線通信モジュールを制御し、
前記少なくとも１つのダウンリンクデータ信号を受信した前記ダウンリンクサブフレームが前記参照アップリンク／ダウンリンク設定により示される、請求項８に記載の端末装置。
【請求項１２】
前記参照アップリンク／ダウンリンク設定は、前記特定のアップリンク／ダウンリンク設定により示される前記アップリンクサブフレームにより送信される肯定確認応答（ＡＣＫ）／否定確認応答（ＮＡＣＫ）に対応する少なくとも１つのダウンリンクサブフレームを示す、請求項８に記載の端末装置。
【請求項１３】
前記プロセッサは、前記上位層により前記第２のサービングセルのための前記参照アップリンク／ダウンリンク設定を構成し、前記第１のサービングセルと前記第２のサービングセルの両方の前記参照アップリンク／ダウンリンク設定として、前記第１のサービングセルに対する前記参照アップリンク／ダウンリンク設定及び前記第２のサービングセルに対する前記参照アップリンク／ダウンリンク設定の１つを決定する、請求項８に記載の端末装置。
【請求項１４】
前記第１のサービングセルに対する前記参照アップリンク／ダウンリンク設定は、前記第２のサービングセルに対する前記参照アップリンク／ダウンリンク設定とは異なる、請求項１３に記載の端末装置。
【国際調査報告】
2015523758.tif 000017
2015523758.tif 000018
2015523758.tif 000019
2015523758.tif 000020